(57)【要約】【課題】両開き開口部をもつ防火区画用シートシャッターで簡単な操作により開閉が行われ、車椅子利用者の利用に於いてもスムーズな避難活動が行われ又避難終了後は手を煩わせることが無く元の遮煙性能の高い防火区画用シートシャッターとする。【解決手段】耐火シート（１，２，３）は主軸シャフト（４）に捲装されてガイドローラー（５）を経て座板（６）とシート下枠（８，９）に締結されている。開口部両端部に垂直に設けられているシャッターレール（１２）内には挟み金物（２２）が装着されている。開口部中央は耐火シート（１，３）の袋状ポケット内に耐火シート（２）の端部が入り込んだ重合となっており、開口部形成の際耐火シート（１，２）を避難方向に開くと竪三角形の開口部が形成される、シート下枠（８）には開口部閉鎖後耐火シート（１，２，３）が重合する為のポケット開閉装置（１１）が装着されている。【選択図】            図１
2004337261.tif 000002
【特許請求の範囲】
【請求項１】
本システムは下記の（Ｉ）−（ＶＩ）からなる構成要件によるもので、特願２００２−２９６３４９に於いて、建物内の火災発生時に屋内開口部の四周囲を密閉状態とする防火区画用シートシャッターで避難活動上有効な両開き開口部を備えた同形式の防火区画用シートシャッターである。
（Ｉ）  天井（２００）部位の方向に水平に配置された主軸シャフト（４）は耐火シート（１，２，３）を捲装し主軸用撥条（１５）により主軸受金物（１４）に装着されている、主軸シャフト（４）に平行に配されたガイドローラー（５）は腕木金物（１６）によりガイドローラー受金物（２１）に装着されている。
（ＩＩ）  座板（６）が落下する両端部には鉛直にシャッターレール（１２）が設けられており、撥条（２４）を持った挟み金物（２２）が装着されている。
（ＩＩＩ）  主軸シャフト（４）に捲装された耐火シート（１，２，３）下端部は座板（６）に直に或いはシート下枠（８，９）に締結されて取り付けられている。
（ＩＶ）  開口部は耐火シート（１）の中央側端部で耐火シート（３）と袋状ポケットを形成した中に耐火シート（２）の端部が入り込み重合している。
（Ｖ）  両シート下枠（８，９）にはラッチ錠（１８）が装着されて座板（６）上部に平行に配置された弾機（１９）をもった踏板（７）の穴に納まっている。
（ＶＩ）  シート下枠（８）には袋状ポケット部分を開閉する為のポケット開閉装置（１１）が装着されている。
【発明の詳細な説明】
【０００１】
【発明の属する技術分野】
本発明は火災発生時に屋内開口部を有効に防火区画する防火区画用シートシャッターであり、避難活動上有効な両開き開口部を備えたタイプである。
【０００２】
【従来の技術】
従来の耐火シートシャッターに形成される開口部は一枚の耐火シートの一部を鉛直に形成されたスリット部に別の耐火シートを配して重合したものや、袋状テントを備えたもの等で、どのタイプも耐火シートに張りがなく防火区画用シートシャッター面に於いて十分な遮煙性能が得れていない、裏あてタイプのものは火災時の建物内の気圧変化に伴う風圧の影響によりスリット部の耐火シート幅が広くなり避難を煩わしいものにしている、袋状テントタイプのものは開口部は避難に不向きな形で耐火シートシャッターの下部に設けられている為に不自然な動作による避難を余儀なくしている、更に中央部で２枚の耐火シートが重合するタイプにあっては２枚の耐火シートの開放方向が共に逆方向に開く構造でパニックの状況下に於いてはスムーズな避難活動を難しくしている、又今までのタイプの避難用開口部は開口部の大きさや開口部の出来る位置又床面と座板部分に生じる段差等、車椅子利用者等の避難活動を難しいものにしている。
【０００３】
【発明が解決しようとする課題】
（Ｉ）  耐火シートの四周囲を密閉状態とする防火区画用シートシャッターに遮煙性能を備えた開口部を設けること。
（ＩＩ）  避難活動の際、避難動作に無理のない体勢でスムーズに行える避難用開口部が形成されること。
（ＩＩＩ）  車椅子利用の身体障害者等の利用に於いて簡単な操作方法により車椅子等の通行を妨げない開口部が避難方向に設けられること。
（ＩＶ）  避難終了後面倒な操作を必要とせず簡単な対応で元の遮煙性能のある防火区画用シートシャッターとなること。
（Ｖ）  シートシャッター面の避難開口部の形成や避難終了後元の状態への復旧に於いて電力等の動力を必要としな構造であること。
（ＶＩ）防火区画部分の開口部前後は少ない避難用スペースですむ構造。
（ＶＩＩ）システム構成がシンプルで、小さなスペースにシャッターケース等が取り付けられてメンテナンスのし易い構造。
【０００４】
【課題を解決するための手段】
本発明はかかる課題に対応したもので、開口部上部に設けられているシャッターケース（２０）内には天井部位の幅方向に沿って水平に耐火シート（１，２，３）を捲装する主軸シャフト（４）と主軸シャフト（４）と平行に耐火シート（１，２，３）の落下を案内すると共に耐火シート上部を密閉する為のガイドローラー（５）が設けられている。開口部両サイドには耐火シート（１，２，３）が締結された座板（６）が落下する為のシャッターレール（１２）が垂直に設けられており内部には耐火シート（１，２）の側面を密閉し床面（１００）に於いて座板（６）の動きを止める働きをする挟み金物（２２）が取り付けられている。耐火シート（１，２）の中央開口部は耐火シート（３）による袋状ポケットの重合で開口部閉鎖時の遮煙性能を高めている、耐火シート（１，２）下端が締結したシート下枠（８，９）は開口部両端部で撥条内蔵丁番（１３）により座板（６）に垂直に設けられた控えプレート（２８）に締結されている。  座板（６）上部には平行に弾機を内蔵した踏板（７）が床面（１００）の高低差解消とシート下枠（８，９）支持の為に設けてある、シート下枠（８）中央部端部には袋状ポケットの開閉の為のポケット開閉装置（１１）が装着されている、本発明は以上の構成よりなる避難用両開き開口部を有する防火区画用シートシャッターである。
【０００５】
【発明の実施の形態】
以下本発明の実施の形態を図に基づいて説明を行う。図１は本発明の防火区画用シートシャッターに形成された開口部を表した立面図、図２はシャッターケースと床面上の座板部分を表した断面詳細図、図３はシャッターレール部分を表した平面詳細図、図４はシャッターレール内を表した断面詳細図、図５はポケット開閉装置を表した平面詳細図、図６はポケット開閉装置を表した立面図である。
【０００６】
図２による、シャッターケース（２０）内で耐火シート（１，２，３）は主軸シャフト（４）に捲装されガイドローラー（５）を経て一部は座板（６）に他の部分はシート下枠（８，９）に締結されて座板に装着されて天井扉（３１）の閉鎖によりマグサ（３０）部に納まっている、主軸シャフト（４）は主軸用撥条（１５）により主軸受金物（１４）に装着されている、天井扉（３１）の開放により座板（６）と耐火シート（１，２，３）が自重により落下して屋内開口部を塞ぐ、この際主軸用撥条（１５）は耐火シート（１，２，３）面に張りをもたせ難開口部形成時に耐火シート（１，２，３）の動きを助ける、ガイドローラー（５）は耐火シート（１，２，３）の落下を案内をすると共に座板（６）が床面（１００）に達した時点で後に説明するが挟み金物（２２）がシャッターレール内で作動すると挟み金物（２２）上部に設けられている腕木用ワイヤー（１７）が作動し、この引張力により撥条内蔵の腕木金物（１６）が回動してガイドローラー（５）は腕木金物（１６）から外れてガイドローラー受金物（２１）の溝に沿ってマグサ（３０）部分に落下して耐火シート（１，２，３）上部を密閉状態とする。
【０００７】
図３、図４による、シャッターレール（１２）は座板（６）と耐火シート（１，２）の落下を案内をする溝であり、その内側には耐火シート（１，２）の端部を密閉する為の撥条（２４）付き挟み金物（２２）が設けられている、座板（６）の落下により挟み金物（２２）は支持されていた撥条内蔵のストッパー（２３）が吊元の軸を中心に押し下げられストッパー（２３）から外れた挟み金物（２２）は撥条（２４）の力によりシャッターレール（１２）内側の面に作動し耐火シート（１，２）の端部を挟み込む。屋内開口部を開放する際挟み金物（２２）を元の位置に戻す様に外力を加えるとストッパー（２３）に挟み金物（２２）がセットされて元のシャッターレール溝幅が確保される、上部のガイドローラー（５）を元の位置に戻すことにより耐火シート（１，２，３）は図示はしていないが手動にて主軸シャフト（４）に捲装される、更にシャッターレール（１２）の開口部側面には点検扉（２９）が丁番を軸に開放される為、挟み金物（２２）等のセットやメンテナンス等の対応が出来る構造となっている。
【０００８】
図２による、座板（６）下部には落下時の衝撃緩和と床面（１００）の不陸による隙間対策の為クッション材（１０）が密着されている、座板（６）の避難方向側部分は跳ね上がった状態となっているが落下時やシート下枠（８，９）の開放により避難方向に倒れて避難時は床面（１００）との段差解消の役目を果たすと共に収納時には収納幅のスペースを小さくする役目も果たしている、図３による両端部に於いて座板（６）面より垂直に２枚の支持プレート（２７）が固定されており、弾機（１９）が内臓された踏板（７）が支持プレート（２７）を案内として取り付けられている、又この踏板（７）にはシート下枠（８，９）に取りくけられているラッチ錠（１８）の受用の穴が空けられておりシート下枠（８，９）は踏板（７）で拘束される、避難側で踏板（７）に外力を加えると踏板（７）は沈み込みラッチ錠（１８）が踏板（７）の穴より外れて両シート下枠（８，９）はラッチ錠（１８）と共に遊離可能な状態となり避難方向に開く事が出来る、踏板（７）が下がる為床面（１００）との段差が少なくなり狭いスペースでの車椅子等の利用を助けている、避難が終了した時点で踏板（７）は弾機（１９）の力で元の位置に戻り開放されたシート下枠（８，９）は吊元の撥条内蔵丁番（１３）の力で元に戻り踏板（７）の穴にラッチ錠（１８）が納まる。
【０００９】
図５，図６による、シート下枠（８）の開口部中央寄り側面にアーム主軸（３２）を直角に取り付けてシート下枠（８）前後のアーム主軸（３２）にアーム（２５）を同じ向きに平行に取付ける、各のアーム（２５）には袋状ポケットの耐火シート（１，３）が冠着している、ポケット開閉装置（１１）は先端部に回動する円盤が付いたアーム開閉プレート（２６）と竪に溝のある垂直プレート（３５）、２枚の隔板（３４ａ，３４ｂ）とそれにアーム開閉プレート（２６）に動きを加える撥条（３３）によって構成されている。シート下枠（８）水平部に取付けられたアーム開閉プレート（２６）の開口部側には回動する円盤プレートが取付けられており反対側には垂直プレート（３５）が取付けられている、この垂直プレート（３５）の竪溝部分にはアーム（２５）から突出したダボが入込みアーム開閉プレート（２６）の左右の動きによりアーム（２５）はアーム開閉プレート（２６）の動きとは逆方向にアーム主軸（３２）を中心に回動する構造となっている、アーム開閉プレート（２６）中央部には撥条（３３）が設けられておりこの撥条（３３）を挟む様に２つの隔板（３４ａ，３４ｂ）が設けられているが、開口部側隔板（３４ａ）はアーム開閉プレート（２６）に取付けられており反対側の隔板（３４ｂ）はシート下枠（８）水平部に固定されてアーム開閉プレート（２６）が左右に撥条（３３）の力により動くように成っている。又シート下枠（９）の水平部の避難側は面取りされて様に角がカットされており、避難方向側は逆に三角形の案内プレートが取付けられている、アーム（２５）にも撥条（３６）が装着された構造となっており、開口部の閉鎖時はシート下枠（９）によりアーム開閉プレート（２６）はシート下枠（８）内に納まりアーム（２５）は耐火シート（２）を挟み込んで重合している、シート下枠（８，９）が避難方向に開くとアーム開閉プレート（２６）はシート下枠（８）部分から突出しアーム開閉プレート（２６）の撥条（３３）の力とアーム（２５）に取付けられている撥条（３６）の力により、アーム（２５）はアーム主軸（３２）を中心に半回転をして耐火シート（２）を挟み込んでいた袋状ポケット部が開き避難活動上有効な開口部を形成する事が出来る、又シート下枠（８，９）が閉じる際、袋状ポケットは開いたままの状態で有る為シート下枠（８，９）が座板（６）に戻る順序を気にする必要はなく、シート下枠（８，９）が座板に納まる際アーム開閉プレート（２６）先端の円盤プレートがシート下枠（９）のカットされた水平部や突出した三角形の案内プレートに沿って動きアーム開閉プレート（２６）がスムーズにシート下枠（８）内に納まりアーム開閉プレート（２６）の動きとアーム（２５）に取付けてある撥条（３６）の力によりアーム（２５）はアーム主軸（３２）を中心に元に戻る様に半回転をして耐火シート（２）を挟み込み袋状ポケット状態となる。
【００１０】
次に、上記の如く構成された本発明の実施の形態の作用について説明する、まず感知器から信号を受けて天井扉（３１）部分に設けられている図示はされていないがホルダーが作動して天井扉（３１）を支持している丁番を中心に回動し天井扉（３１）は９０度開く、支持を失った座板（６）は自重と耐火シート（１，２，３）の重みでシャッターレール（１２）内を落下し座板（６）は床面（１００）近くに設けてあるストッパー（２３）を吊元の丁番を軸に下部方向に動かすと挟み金物（２２）はストッパー（２３）から外れて撥条（２４）の力により挟み金物（２２）はシャッターレール（１２）内の側面に動いて耐火シート（１，２）の端部を挟み込むと共に床面に達した座板（６）の上部に被さり床面（１００）にて座板（６）を不動の状態とする、挟み金物（２２）の動きにより挟み金物（２２）上部に取り付けられている撥条内蔵の腕木用ワイヤー（１７）が引張られてガイドローラー受金物（２１）に装着されている腕木金物（１６）が回動して腕木金物（１６）よりガイドローラー（５）が外れてガイドローラー受金物（２１）の溝を落下してマグサ（３０）部分で耐火シート（１，２，３）を挟み込み開口部四周囲を密閉状態とする。次に避難に於いては踏板（７）に外力を加えると踏板（７）が沈み込みシート下枠（８，９）に取付けられているラッチ錠（１８）が踏板（７）の穴から外れて遊離可能な状態となり手動により耐火シート（１，２）を避難方向に押すと竪三角形の避難用開口部が形成される、この時シート下枠（８）に取付けられているポケット開閉装置（１１）の作動により袋状ポケット部の耐火シート（１，３）はアーム（２５）のアーム主軸（３２）を中心に半回転の動きにより捲き上がる。避難終了後シート下枠（８，９）の吊元に装着されている撥状内蔵丁番（１３）の力で両シート下枠（８，９）は座板（６）に戻り弾機（１９）の力により元の位置に戻った踏板（７）の穴にシート下枠（８，９）に取付けられているラッチ錠（１８）が納まり開口部は閉鎖される、同時にシート下枠（９）に押さえ込まれる様にアーム開閉プレート（２６）はシート下枠（８）の内側に押し込まれアーム（２５）はアーム主軸（３２）を中心に回動して元の位置に戻り耐火シート（２）を挟み込んだ重合状態となる。
【００１１】
【発明の効果】
本発明は以上説明したような形態で実施され、下記に記載するような効果を奏する。
【００１２】
耐火シート（１，２，３）は上部に於いてはガイドローラー（５）、側面にあってはシャッターレール（１２）内の挟み金物（２２）、更に下部床面（１００）に於いては座板（６）下部のクッション材（１０）と座板（６）に被さる挟み金物（２２）により密閉状態を作りだし遮煙性を高めている。
【００１３】
耐火シートの四周囲を密閉状態とする防火区画用シートシャッターの開口部は袋状ポケットの耐火シート（１，３）部分に耐火シート（２）の端部が入り込んだ重合状態で開口部の遮煙性を高めている。
【００１４】
避難用開口部は踏板（７）に外力を加える事によりシート下枠（８，９）が踏板（７）から外れて利用者が避難方向に耐火シート（１，２）を押すだけで竪三角形の避難開口部を作り出す事が出来る、これにより無理のない体勢で避難が可能となり特にバリアフリーの観点から身体の動きが不自由な人や車椅子利用者の利用がし易くなる。
【００１５】
開口部は、簡単な構造のポケット開閉装置（１１）により避難終了後手を煩わせる事がなく元の耐火シート（１，２，３）の重合状態を作りだし高い遮煙性能を得る事が出来る。
【００１６】
避難用開口部の避難側にはあまりスペースは必要とせず、開口部形成時に於いても避難方向側にシート下枠（８，９）は開放される為に避難方向側に於いても少ないスペースで機能が十分発揮できる。
【００１７】
ポケット開放装置（１１）、耐火シート（１，２，３）の四周囲密閉状態を作り出すガイドローラー（５）、挟み金物（２２）の作動等には、全て電力等の動力を必要としない構造であるため停電等によるトラブルの影響を受けない。
【００１８】
シャッターケース（２０）内の主軸シャフト（４）やガイドローラー（５）、シャッターレール（１２）内の挟み金物（２２）等簡単な構造で構成されており開放可能な構造となっている為メンテナンスがし易く小さなスペースへの取り付けも可能である。
【図面の簡単な説明】
【図１】防火区画用シートシャッターに形成された開口部の立面図である
【図２】シャッターケース内部と座板部分を表した断面詳細図である
【図３】シャッターレール部分を表した平面詳細図である
【図４】シャッターレール内を表した断面詳細図である
【図５】ポケット開閉装置部を表した平面詳細図である
【図６】ポケット開閉装置部を表した避難側からの立面図である
【符号の説明】
１，２，３    耐火シート
４．  主軸シャフト
５．  ガイドローラー
６．  座板
７．    踏板
８．  シート下枠                （耐火シート端部がポケット状）
９．  シート下枠
１０．  クッション材
１１．    ポケット開閉装置
１２．  シャッターレール
１３．  丁番                      （撥条内蔵）
１４．  主軸受金物
１５．  主軸用撥条
１６．  腕木金物                  （撥条内蔵）
１７．  腕木用ワイヤー                        （撥条内蔵）
１８．  ラッチ錠
１９．  弾機                                （踏板用）
２０．  シャッターケース
２１．  ガイドローラー受金物
２２．  挟み金物
２３．  ストッパー                              （撥条内蔵＋丁番）
２４．  撥条                                            （挟み金物用）
２５．  アーム                                        （撥条内蔵）
２６．  アーム開閉プレート                （撥条内蔵）
２７．  支持プレート
２８．  控えプレート
２９．  点検扉                                      （丁番付き）
３０．  マグサ
３１．  天井扉                                        （丁番付き）
３２．  アーム主軸
３３．  撥条                      （アーム開閉プレート用）
３４ａ．隔板                      （アーム開閉プレート部固定）
３４ｂ．隔板                                            （シート下枠部固定）
３５．  垂直プレート
３６．    撥条                      （アーム用）
１００．    床面
２００．  天井面
【図１】
2004337261.tif 000003
【図２】
2004337261.tif 000004
【図３】
2004337261.tif 000005
【図４】
2004337261.tif 000006
【図５】
2004337261.tif 000007
【図６】
2004337261.tif 000008